(57)【要約】【課題】従来、見づらい後頭部の髪は利手でない手でのハサミの操作が大変困難となり良好なセルフカットが出来なかったが、本発明は利手を選ばず指感覚で操作できる手のひらハサミ装着し片手のみで髪を手櫛しながら支持及び保持しカットするセルフカット方法。【解決手段】本発明は、両サイドが刃線の動刃と静刃二つの刃部の基端部において軸部により回転可能（静刃を中心に振り子のように動く様）に接合された一対のハサミ構成体を備え、動刃の刃面に指通し状の構成体を備えたハンドル部先端において軸部により回転可能にハンドル部が接合され、静刃の刃面に指通し状のハンドル部を二つ接合した手のひらハサミ装着し、人差し指が何も装着されず刃部が邪魔にならなくなっているので自由になり髪の毛を手櫛しながら支持、保持、カットの作業が片手で可能に成った手のひらハサミでのセルフカット方法。【選択図】  図２
2014155873.tif 000002
【特許請求の範囲】
【請求項１】
峯を持たないサイドが刃線の動刃と静刃の刃部の基端部において軸部により静刃を中心に動刃が交差してメトロノームの振り子みたいな往復運動が出来る様に回転可能に接合された一対のハサミ構成体を備えることを特徴とする手のひらハサミ。
【請求項２】
動刃の刃面に指通し状の構成体を備えたハンドル部の先端において軸部により回転可能に接合され、静刃の刃面に指通し状のハンドル部を出来るだけ二つ以下に備えることを特徴する請求項１に記載の手のひらハサミ。
【請求項３】
請求項２に記載のハサミにおいて、動刃と静刃が軸部を介して交差して可動する事と動刃のハンドル部が軸部を介して反転することにより右手左手の使用が出来ることを特徴とする手のひらハサミ。
【請求項４】
請求項２に記載のハサミにおいて、静刃の刃面に接合された指通し状のハンドル部を指に装着した時、刃体の基端部が手のひらの中程に位置することで刃元が指の付け根より下に来ることを特徴とする手のひらハサミ。
【請求項５】
請求項２に記載のハサミにおいて、動刃の刃面に回転可能に軸部により接合されたハンドル部を親指に装着し動刃を広げた時に人差し指の前に動刃が来ないことを特徴とする手のひらハサミ。
【請求項６】
請求項４に記載のハサミにおいて、人差し指が自由になることを特徴とする手のひらハサミ。
【請求項７】
請求項２に記載のハサミにおいて、静刃の刃面に接合された指通し状のハンドル部を細くする事で中指の接触感を落とさないことを特徴とする手のひらハサミ。
【請求項８】
請求項５及び請求項６に記載のハサミを装着しながら手櫛し、中指と人差し指で髪を支持しながら親指の加圧でカットすることを特徴とするセルフカット方法。
【請求項９】
請求項７に記載の方法において、髪の毛をカットした後も中指と人差し指で保持出来ることを特徴とするセルフカット方法。
【発明の詳細な説明】
【技術分野】
【０００１】
本発明は、片手で出来るセルフカット方法及び当該方法の実施において使用するのに好適なハサミに関する。
【背景技術】
【０００２】
従来のセルフカット方法においては、鏡を見ながら一方の手において髪を支持すると共に、他方の手でハサミを使い、支持した髪をカットするのですがハサミは左右両利き用のハサミ（特許文献１）もあるが、どうしても後頭部の見えづらい髪の毛は鏡に写してカットしようとしても鏡は右左逆に映るので思うように使いこなせない。
【０００３】
また、指感覚みたいに扱いやすそうな指ハサミ（特許文献２）もあるが、これでは片手でセルフカットすると髪の毛を手櫛、支持、保持する前にカットする危険性があるうえ、人差し指と中指の間がハサミにより邪魔となり髪の毛を手櫛し挟み込み支持及び保持する作業とカットする作業が片手では同事に出来ないまた、難しい後頭部のセルフカットは両手を駆使しても見えづらいし鏡を使用しても左右逆となるので良好なカットが難しくなる。
【先行技術文献】
【特許文献】
【０００４】
【特許文献１】特許公開２０１２−１７６２５６
【特許文献２】特許公開２０１４−２３５３０
【発明の概要】
【発明が解決しようとする課題】
【０００５】
髪をセルフカットする時、難しい後頭部の髪を右手左手どちらでも指感覚でうまく使いこなせる手のひらハサミを提供すること。
【０００６】
前記の手のひらハサミを装着したまま、手櫛しながら人差し指を自由にすることで髪をかき揚げ自分の好みの長さに手櫛しながら人差し指と中指で挟み込み支持及び保持しカット出来る手のひらハサミを使うセルフカット方法を提供すること。
【課題を解決するための手段】
【０００７】
両サイドに刃線を備えた動刃と静刃の基端部において軸部図２の７により静刃を中心に動刃がメトロノームの振り子みたいな往復運動が出来る様に回転可能に接合された一対のハサミ構成体を備え、動刃の刃面に指通し状の構成体を備えたハンドル部図２の３において軸部図２の６により回転可能に接合し、静刃の刃面上に出来るだけ中指の接触感を保つ様に細く二つ以下に指通し状のハンドル部図１の４、５が接合されたハサミ構成体において、動刃のハンドル部図２の３が軸部図２の６により反転することで右手でも左手でも使える手のひらハサミ。
【０００８】
前記の手のひらハサミにおいて、静刃のハンドル部図１の５を中指の付け根まで下げることで本体の基端部を手のひらの中心近くまで下げ刃元が中指、人差し指の股の下に来る事で指の開放感が上がりハンドル部図１の４を付けることで刃体が安定する状態で動刃のハンドル部図の２の３を親指の第二関節付近まで通し親指の動きで刃体を開いた時、人差し指が自由となるため髪の毛をかきあげ手櫛して中指とで髪の毛を挟み込み支持及び保持しながら親指の加圧でカットし髪の毛は中指と人差し指で保持されたままとなるセルフカット方法。
【発明の効果】
【０００９】
見づらい後頭部のセルフカットが、右手左手でも指感覚で使用出来る手のひらハサミにより片手だけで手櫛及び支持しながらカットし保持できるので髪の散らかりが減り、櫛を使わなくても手櫛で指の感触で切りたい髪の長さを決め良好なセルフカットが出来る様になった。
【図面の簡単な説明】
【００１０】
【図１】右の手の甲側から見たハサミの外観図
【図２】右の手のひら側から見たハサミの外観図
【図３】右の手の甲側から見たハサミの外観図
【図４】右の手のひら側から見たハサミの外観図
【発明を実施するための形態】
【００１１】
静刃の図１の５のハンドル部が中指の最も付け根まで来る様にする事で手のひらの中心近くに刃体の基端部が来る事で静刃、動刃を広げた時人差し指の邪魔にならず、本体の安定度も上がる。また、静刃のハンドル部が二つ以下をベストし細くする事で、中指の髪に対する接触感が上がり何も装着してない人差し指とで手櫛しながら髪の毛を支持及び保持しながらセルフカット方法。
【００１２】
前記の静刃のハンドル部において、静刃との接合部図３の１０、１１を可動形にする事で折りたためてコンパクトに収納し易い事を最良の形体とする手のひらハサミ。
【００１３】
動刃の図２の３の指通し状の構成体を備えたハンドル部は親指の加圧を刃部に伝える為には、角度（軸部図２の８で調節可能もしくは図３の９の様に固定化も可）をもうけ、図２の３のハンドル部は親指の第二関節付近にすることが最良の形態。
【００１４】
右手左手での使用可能にする為に前記の動刃のハンドル部の軸部図２の６において、ハンドル部が反転（格好良く回転も可）する事で最良の形態。
【００１５】
前記のハンドル部において、図２の８軸部で折りたたみ指通し部における軸部図４の１２により回す事でコンパクトに収納し易い事を最良の形態とする手のひらハサミ。
【００１６】
前記のハンドル部の状態において、図２の８軸部で角度を逆にすることで、手の甲での使用が可能となる事で最良の形態。
【実施例】
【００１７】
手のひらハサミの刃部の基端部が手のひらの中心近く来るように中指を図１の５、４の順にハンドル部に通して図２の３のハンドル部を親指に装着し、その手で鏡、櫛を使わなくても指を広げ手櫛しながら指の接触感だけで人差し指で髪の毛をかきあげて中指とで挟み込み感触で長さを決め支持して親指の加圧でカットする。カットした毛は保持したままゴミ箱に捨てる。手のひらハサミを持ち変えて反対側も前記同様に行う事で良好なセルフカット方法。
【産業上の利用可能性】
【００１８】
本発明は、人差し指に装着する物がなく自由に動く事及び、静刃を中心に動刃が往復運動する構造なのでハサミを使う分野での利用可能性があります。例えば花をカットして飾る花屋では、両手で花を持ち同事にカットする事で切った残り物が落ちない事もあり、犬の毛の散髪するペット業界、漁協、農業、医療、その他。
【００１９】
また、従来のハサミは切る度に切る方向と反対の方向に刃体を開くが手のひらハサミは、前記の往復運動により親指を押す行為で切りそのままその方向に押し切ることで開き、こんどは親指を引く行為で切りそのまま引き切ることで開くつまり従来のハサミは（切る、開く）のワンセットに対し手のひらハサミは同じ指の動きでも前記のワンセットが二倍となる事で産業上の利用可能性が有ると思われる。
【符号の説明】
【００２０】
図１  右の手の甲側から見たハサミの外観図
図２  右の手のひら側から見たハサミの外観図
図３  右の手の甲側から見たハサミの外観図
図４  右の手のひら側から見たハサミの外観図
１    親指用のハンドル部が有る刃部（動刃）
２    中指用のハンドル部が有る刃部（静刃）
３    親指を通すハンドル部
４    中指を通す上のハンドル部  
５    中指を通す下のハンドル部
６    ３のハンドル部の軸部
７    二つの刃部の軸部
８    ハンドル部の角度調整可能な軸部
９    ハンドル部の角度を固定化した図
１０  中指を通す上のハンドル部の可動軸部
１１  中指を通す下のハンドル部の可動軸部
１２  親指を通すハンドル部の指通し状における可動軸部
【図１】
2014155873.tif 000003
【図２】
2014155873.tif 000004
【図３】
2014155873.tif 000005
【図４】
2014155873.tif 000006